(57)【特許請求の範囲】
【請求項１】
家屋外周部を全て気密層で覆った高気密住宅において、家屋内、または家屋外に設けた地震計もしくは変位計からなるセンサーと、該センサーの信号によりエアを家屋内に放出し、家屋内の気圧を瞬時に高めるエア放出器とを備えたことを特徴とする家屋。
【発明の詳細な説明】
【０００１】
【産業上の利用分野】
本発明は高気密の家屋とし、地震等により家屋の躯体に付加が発生した際に、家屋内にエアを瞬時に放出し、家屋内の気圧を上げることにより、躯体強度を向上させ、家屋が倒壊しない家屋に関するものである。
【０００２】
【従来の技術】
従来の家屋は、躯体を構成する部材として筋交いを各所に使用して躯体全体の強度を向上さたり、部材の接合部分に金具による補強材を配設したりして、躯体全体の強度を向上させていた。
【０００３】
【発明が解決しようとする課題】
しかしながら、躯体強度を向上させるために筋交い部材や補強金具等を必要以上に設けると、家屋の施工が大変であり、しかもコストがかさむものであった。また、このような耐震家屋でも大地震の際には倒壊のおそれがあり、しかも、倒壊は瞬時におこるので、居住者の安全性にも問題があった。
【０００４】
【課題を解決するための手段】
本発明はこのような欠点を除去するため、家屋外周部を全て気密層で覆った高気密、高断熱の家屋とすると共に、地震計もしくは変位計からなるセンサーを設け、センサーの信号によりエアを家屋内に放出し、家屋内の気圧を瞬時に高めるエア放出器とを備えた家屋とすることにより、地震や躯体の変位を感知し、一定以上の値を越えた際には、家屋内に設けたエア放出器により瞬時にエアを家屋内に放出し、家屋の気圧を上げ、一時的に躯体の強度を向上させ、倒壊を防ぐことのできる家屋を提案するものである。
【０００５】
【実施例】
以下に図面を用いて本発明に係る家屋の一例について詳細に説明する。図１は本発明に係る家屋の一例を示す説明図であり、１は小屋裏空間、２は居住空間、３は床下空間で、それぞれ天井４、床５、内壁１２によって区切られた家屋Ａの内部空間である。６は気密層で少なくとも家屋Ａの内部と外部の空気の出入を遮断するものであり、副次的に断熱性、防音性、防火性を有するものである。
【０００６】
さらに説明すると、気密層６は屋根気密層７と外壁気密層８、および床下気密層９とからなり、それぞれボード状、マット状、シート状のもの、あるいは屋根材、外壁材と一体になっているもの等である。前者の例としては、ポリスチレンボード、ポリウレタンボード、ポリイソシアヌレートフォームボード、シージングボード、シージングインシュレーションボード、木片セメント板、木毛セメント板、グラスウールマット等、もしくはこれらの複合板等であり、これらの表面に金属製屋根材、瓦等を配することによって屋根を、また金属系パネル、タイル、窯業系パネル、ＡＬＣ板等を配することにより外壁を形成するものである。この他にも、合成樹脂発泡体の原料を現場にて吹き付け、発泡させて気密層６を形成することもできる。
【０００７】
また後者の例としては、表面材と断熱芯材および必要に応じて裏面材とを一体に形成したパネル、ＡＬＣ外装パネル、木片セメントパネル、木毛セメントパネル等で、これらを主柱、間柱等の躯体上に配することによって気密層６を形成するものである。さらに、床下気密層９はコンクリートを打ち込んで形成することもできる。この際、図１に示すように、結露防止と防水のため地面αと床下気密層９との間に、防水シート１０を敷設することが好ましいものである。
【０００８】
１１は壁内空間で、外壁気密層８と内壁１２間に設けたものであり、小屋裏空間１と床下空間３とを連通化し、自然対流等によって空気が流れる空間であり、後記するエア放出器Ｃから供給される空気を家屋Ａ内に均一に分布させるための通路となるものである。
【０００９】
図２は装置類の経路を示す説明図で、Ｂはセンサーであり、家屋Ａの内部、もしくは外部に設けるものである。センサーＢは地震計や変位計の１つ以上からなるものであり、強い地震波や家屋Ａの躯体の変位（強い衝撃による）を感知し、感知した信号を後記するエア放出器Ｃに伝えるものである。
【００１０】
エア放出器Ｃは家屋Ａ内の小屋裏空間１、床下空間３、壁内空間１１のいずれかの空間（図１では床下空間３に配設している。）に設置するものであり、センサーＢから送られて来た信号を感知し、瞬時にエアを家屋Ａ内に放出、供給するものである。すなわち、エア放出器Ｃは例えば、圧縮空気、液体空気、液体窒素等を充填したボンベ等からなり、ボンベのバルブを開放するか、もしくはボンベに設けた小型火薬を爆発させて、ボンベの壁を破壊することにより、瞬時に大量のエアを放出するものである。
【００１１】
Ｄは制御盤であり、居住空間２の見やすいところに配設されるものであり、センサーＢやエア放出器ＣのＯＮ／ＯＦＦ、装置類に異常がないかの監視、センサーＢが感知した地震波の大きさの表示等を行うものである。
【００１２】
すなわち、これらの装置類は図２の経路を示す説明図にあるように、１つ以上のセンサーＢとエア放出器Ｃが制御盤Ｄを介して、信号ケーブルＥにより連結されているものである。
【００１３】
図３はエア放出器Ｃからエアが放出された場合の状態を示す説明図であり、地震や突風等により、家屋Ａに衝撃が加わった際に、これらを感知する地震計や躯体の変位計等のセンサーＢから制御盤Ｄに信号が送られ、家屋Ａが倒壊する恐れのある強い衝撃であった際には、制御盤Ｄは自動的にエア放出器Ｃに信号を送り、エア放出器Ｃは瞬時にして大量のエアを家屋Ａ内に放出するものである。
【００１４】
放出されたエアは、図３に示す矢印のように直ちに床下空間３、壁内空間１１、小屋裏空間１に充満し、家屋Ａ内の気圧を上げ、一時的に家屋Ａの躯体強度を大幅に向上し、家屋Ａの倒壊を防ぐのに有用なものである。
【００１５】
なお、図ではセンサーＢを家屋Ａ内の床下空間３に設けているが、センサーＢとして地震計を使用する場合は、家屋Ａの外部に設けたり、近くに地震観測所等の施設がある際には、その観測所の機器と電話線等を介してオンラインで接続しても良いものである。
【００１６】
以上説明したのは本発明に係る家屋Ａの一実施例であり、この他にも図４〜図９に示す家屋Ａとすることができる。
【００１７】
すなわち、図４は居住空間２に熱交換型換気扇１３を配し、室内と外気の空気を効率的に入れ換えることができる家屋Ａの例である。また、図５はエア放出器Ｃを床下空間３と小屋裏空間１の２ヶ所以上に形成した家屋Ａの例である。さらに、図６は居住空間２の外部にも気密層６を形成した家屋Ａの例である。図７はエア放出器Ｃを家屋Ａ外部に設置し、ダクトＦを介して家屋Ａ内に連結した家屋Ａの例である。
【００１８】
図８はセンサーＢとして変位計を用いた際に、その変位計の配設例を示したものである。すなわち、センサーＢとして用いられる変位計としては図９（ａ）に示すように、本体１４と両端の探知片１５、１６と、接続部１７とから構成されるひずみゲージである。すなわち、本体１４の両端に設けられた探知片１５、１６が本体１４寄りに押す力が加わるか、外方に引っ張られるような外力を受けると、接続部１７を介して接続された信号ケーブルＥによってセンサーＢに常時流れている電流に変化を生じるか、センサーＢ自身によって電流を生じ、その電流の変化の度合いに従って制御盤Ｄで表示、警報の発信、エア放出器Ｃへの信号の発信等の処理が行われるものである。
【００１９】
また、図９（ｂ）に示すようにセンサーＢの取付は、家屋Ａの躯体を構成する土台、主柱、間柱、大引、根太、胴差し、梁等のうち近接する部材間に当て木１８を介して、火打ち的に配設するものである。勿論、これらの部材を各々組み合わせた家屋Ａとすることができる。
【００２０】
【発明の効果】
以上説明したように本発明に係る家屋によれば、地震等により家屋の躯体に付加が発生した際に、家屋内にエアを瞬時に放出し、家屋内の気圧を上げることにより、躯体強度を向上させ、家屋倒壊しない家屋となる。等の特徴、効果がある。
【図面の簡単な説明】
【図１】本発明に係る家屋の一実施例を示す説明図である。
【図２】配線の簡単な説明図である。
【図３】本発明に係る家屋の一実施例を示す説明図である。
【図４】本発明に係る家屋のその他の例を示す説明図である。
【図５】本発明に係る家屋のその他の例を示す説明図である。
【図６】本発明に係る家屋のその他の例を示す説明図である。
【図７】本発明に係る家屋のその他の例を示す説明図である。
【図８】センサーの取付例を示す説明図である。
【図９】センサーの一例を示す説明図である。
【符号の説明】
Ａ  家屋
Ｂ  センサー
Ｃ  エア放出器
Ｄ  制御盤
Ｅ  信号ケーブル
Ｆ  ダクト
α  地面
１  小屋裏空間
２  居住空間
３  床下空間
４  天井
５  床
６  気密層
７  屋根気密層
８  外壁気密層
９  床下気密層
１０  防水シート
１１  壁内空間
１２  内壁
１３  熱交換型換気扇
１４  本体
１５  探知片
１６  探知片
１７  接続部
１８  当て木
【図１】
0003641680.tif 000002
【図２】
0003641680.tif 000003
【図３】
0003641680.tif 000004
【図４】
0003641680.tif 000005
【図５】
0003641680.tif 000006
【図６】
0003641680.tif 000007
【図７】
0003641680.tif 000008
【図８】
0003641680.tif 000009
【図９】
0003641680.tif 000010